(57)【要約】【課題】     引き戸式のガラス戸，障子，襖等の建具に手すりを装着することが出来る手すりに関わる技術を課題とする。【解決手段】  ブラケットＡ（１）とブラケットＢ（２）をガラス戸（６）、（７）等に装着し、ブラケットＡ（１）とブラケット（２）に手すり（３）と手すり（４）を装嵌し、手すり（３）の補強にステ−（５）を設ける、ガラス戸（７）を開閉時に、手すり（４）は手すり（３）の中に摺動嵌入される構造の特徴をもつ動く手すりとして、引き戸式の建具の開閉と手すりの移動を同時にして手すり機能の維持を図りつつ建具機能の開閉操作もできるようにしたもの。【選択図】 図２
2006266009.tif 000002
【特許請求の範囲】
【請求項１】
ガラス戸，障子，襖など複数枚の建具を並設して構成される引き戸式の建具において、該建具の引き戸方向に沿って手すりを配設するにあたって、一端側に位置する建具Ａ（６）に手すり取り付けブラケットＡ（１）を装着し、他端側に位置する建具Ｂ（７）に手すり取り付けブラケットＢ（２）を装着し、該ブラケットＡ（１）とブラケットＢ（２）に一端側手すり（３）と他端側手すり（４）の基端部を各々取り付けると共に、該手すり（３）と手すり（４）の各先端部をお互いに摺動可能に連結することにより、該建具の引き戸操作に伴って開閉操作される建具側の手すりを該建具と同時に移動する構成にしたことを特徴とする建具に装着した動く手すり。
【請求項２】
手すり（３）と手すり（４）の各先端部をお互いに摺動可能に連結すると共に、該連結部の位置固定に補強ステ−（５）を設けることを特徴とする請求項１に記載の建具に装着した動く手すり。
【請求項３】
複数枚の建具を並設して構成される引き戸式の建具において、中央付近で隣り合う建具の各々に手すり取り付けブラケットＣ（９）と手すり取り付けブラケットＤ（１０）を取り付け、該ブラケットＣ（９）とブラケットＤ（１０）を一体的に繋ぎ構成したことを特徴とする請求項１及び２に記載の建具に装着した動く手すり。
【発明の詳細な説明】
【技術分野】
【０００１】
本発明は、ガラス戸，障子，襖等の部分に歩行者の歩行補助用としての手すりを装着しても、ガラス戸の開閉が任意に出来る建具に装着した動く手すりに関わる技術分野である。
【背景技術】
【０００２】
従来、ガラス戸，障子，襖等の部分には歩行者の歩行補助用手すりが装着出来なかった。その為に、ガラス戸，障子，襖部分等に手すりがなく、この部分において、部屋と部屋、部屋と廊下を繋ぐ手すりが寸断されていて高齢者が移動時に手すりを利用することがほとんど出来ない状態となっていた。現状、日本の住宅の多くは和室がほとんどで、在宅での高齢者の移動には介護者の手助けによる介助か、車いすに乗っての移動であり、高齢者の移動に大変に難儀をしている実情がある。
車いすは和室に合わないし、畳の上を歩くと移動時に車輪で畳に傷が付く。又部屋、廊下が狭いので車いすの移動が困難である。
【０００３】
高齢者の介護度１以下の人は一寸だけ手助けをすれば一人で歩くことが出来る。しかしながら一旦車いすに乗り始めると、人間の怠情習性として乗る癖がつき、乗る癖がつくと１ヶ月もすれば一人では歩けなくなるのが殆どである。その為に介護費用が膨大になっているのが現実の状況である。
高齢者の要介護度１以下の人は介護費用対象人数の約５０％を占めているといわれる。介護度１以下の人に歩いてもらうと、日本の介護費用の大幅削減に寄与できる効果が生じると同時に、高齢者個人にとっても生活が生き生きとなり、自分のＡＤＬ（日常生活動作）は自分で守る喜びを感じる。
高齢者が在宅内を歩かなくなると、どうしてもベット生活が多くなりがちとなり、その結果体力が急激に劣化する悪循環を招き、介護が必要となる。例えば、関東地方のある県立中央病院長の研究によると高齢者が３日寝ると筋肉が衰えて歩けなくなると言われる。高齢者がより健康を維持するためには毎日かかさずに絶対に歩くことが大前提となる。
【０００４】
日本のガラス戸はサッシ戸がほとんどあり、サッシ戸は非常に堅牢に出来ている。この堅牢な構成を活用して、ガラス戸に直接手すりをセット出来る構造にすると、従来の手すりを取り付ける柱、枠等が不要となり、コストが安くなる。高齢者も病床につくようになると比較的金銭に恵まれないので、その為に手すりのコストを徹底的に削減の必要がある。削減して安価にすれば多くの人に喜ばれるのでコスト低減の追求が重要である。
また、窓ガラスは外部からの暴風雨に耐えることや、不審者の侵入の危険があることに対して、窓ガラスはこの備えが必要であり、手すりにはこの役目を持たせる必要がある。手すりとしての効果と危険防止、すなわち歩く補助と安全・防犯の両方の効果がある手すり構造があれば購入がより求められることも期待される。
【０００５】
先行特許技術として、例えば特許文献１、２が提案されている。しかしながら、特許文献１では、手すりが窓枠にセットされているので、手すりが枠部にセット出来る寸法余裕があれば問題はないが、すべての所に取り付け寸法の余裕があるとはいえない状況である。更に手すりの長さはガラス戸の設置長さに相当する範囲の少なくとも２ｍは必要であり、先端部の強度がよいかどうかの疑問があり実用化するには強度的な課題を生じる。
特許文献２では、手すりの長さは上記同様に２ｍは必要であり、天井の高さにも限度があり対応が出来るかどうかの実用化の課題が残る。
【特許文献１】特開２００２−２９４９６３号公報
【特許文献２】特開２００３−８２８３１号公報
【発明の開示】
【発明が解決しようとする課題】
【０００６】
従来、ガラス戸，障子，襖等に手すりが装着出来なかった。その為にガラス戸，障子，襖部等に手すりがなく、部屋と部屋、部屋と廊下で寸断されていた。移動時に手すりを利用する時、連続している手すりが必要である。          
日本のガラス戸はサッシ戸がほとんど、サッシ戸は非常に堅牢に出来ている。ガラス戸に直接手すりがセット出来る構造にすると、手すりを取り付ける柱、枠等が不要となり、コストが安くなる。安価構造にするには手すりを取り付ける枠構造を簡単にすること、手すりの移動構造を合理的にすることが重要である。
ガラス戸は開閉が必要であり、開閉時に手すりも同時に移動する作用を備え、コストが安価で、取り付けも容易である手すりが望まれる。
ガラス戸は風雨にさらされるので、又防犯にも強いことが必要であり、手すりはこの解決にも役立てる構造も求められる。
【課題を解決するための手段】
【０００７】
本発明は、前述の課題解決のために、第一に、ガラス戸，障子，襖など複数枚の建具を並設して構成される引き戸式の建具において、該建具の引き戸方向に沿って手すりを配設するにあたって、一端側に位置する建具Ａ（６）に手すり取り付けブラケットＡ（１）を装着し、他端側に位置する建具Ｂ（７）に手すり取り付けブラケットＢ（２）を装着し、該ブラケットＡ（１）とブラケットＢ（２）に一端側手すり（３）と他端側手すり（４）の基端部を各々取り付けると共に、該手すり（３）と手すり（４）の各先端部をお互いに摺動可能に連結することにより、該建具の引き戸操作に伴って開閉操作される建具側の手すりを該建具と同時に移動する構成にしたことを特徴とする。
【０００８】
第二に、手すり（３）と手すり（４）の各先端部をお互いに摺動可能に連結すると共に、該連結部の位置固定に補強ステ−（５）を設けることを特徴とする。
第三に、複数枚の建具を並設して構成される引き戸式の建具において、中央付近で隣り合う建具の各々に手すり取り付けブラケットＣ（９）と手すり取り付けブラケットＤ（１０）を取り付け、該ブラケットＣ（９）とブラケットＤ（１０）を一体的に繋ぎ構成したことを特徴とするものである。
【発明の効果】
【０００９】
請求項１の発明によれば、和室のガラス戸，障子，襖等の所も手すりが設置出来るのでガラス戸，障子，襖等に従来手すりが装着出来なかったが、部屋と部屋、部屋と廊下で寸断されていたのが、繋がるので移動時に手すりを利用することが出来る。          
高齢者の要介護度１以下の人は一寸だけ手助けをすれば一人で歩くことが出来る、車いすに乗ると、乗る癖がつく、乗る癖がつくと筋力が劣化して１ヶ月もすれば歩けなくなる。  それが本案の様に手すりが部屋全部に繋がれば手すりで歩けるようになる、高齢者の喜びは大変なものがあると同時に、歩けるために介護者が不要、経費は大幅削減となる。
日本には介護度１が２００４年６月現在で１，２７５千人、要支援が６１９千人、これらの人がもし歩ければ費用削減は膨大になり、介護の苦労が大幅削減となり経済面と併せて精神的苦痛も削減される。
【００１０】
東京都老人総合研究所の調査によれば、大腿骨折は年間１８万件で１件治療に１５０〜２００万円必要で、１度起こると再発率が高い、これを防止するのに手すりの効果が絶大であることは明白である。
手すりで移動が出来れば車いすで、苦労して畳の上を歩くこともなく、車輪で畳に傷が付く心配もなくなり、身の安全性が高まり転ぶ心配もなくなる、身の安全性が低いと生きる喜びをなくすとも言われています、そしてトイレにも一人で歩いていくことが可能となれば、高齢者の精神的喜びは増大し生きる喜びが出る。介護者も同様な喜びは大きい。
コスト面でも特許文献１に比べ、ガラス戸にブラケットを設置するような構造にし、手すりは手すりの中に摺動嵌入すると簡単構造でコストが大幅に削減可能となる。部品点数が少ないので取り付けも容易。総合的にコストが安く生産することが可能。
【００１１】
請求項２、３の発明によれば、手すりをガラス戸に直接セット出来る構造が出来たので、手すりの取り付け柱、枠等が不要となり、コストが安くなる。また、高齢者も病床につくようになると比較的金銭に恵まれないことが多くなる傾向にあり、その為にコストを徹底的に削減の必要がある。本発明のように削減し安価にすれば多くの人に喜ばれる。
【００１２】
ガラス戸は風雨にさらされたり、外部侵入の防犯にも強いことが求められる、手すりはこの解決にも役立てる構造も求められるので、中央部で雄ねじと雌ねじで固定構造にしたのでガラス戸は開かない、その為に強度が増大し外部侵入防止が出来る。
【発明を実施するための最良の形態】
【００１３】
以下、本発明に係るガラス戸等の建具に装着した動く手すりの実施形態を図面に基づいて詳細に説明する。
ガラス戸（６）、（７）から構成される引き戸式の建具はアルミサッシ等の柱（８）内に設置され、ガラス戸（６）、（７）は柱（８）内のレール（図示省略）に沿って相互に引き戸方向に開閉移動が可能である。一端側のガラス戸（６）に手すり取り付けブラケットＡ（１）は固定され、他端側のガラス戸（７）に手すり取り付けブラケットＢ（２）は固定される。そして、手すり（３）はブラケットＡ（１）に装嵌して取り付けられ、手すり（４）はブラケットＢ（２）に装嵌されて取り付けられ、これら建具の引き戸方向に沿って手すりが配設される。
【００１４】
手すり（４）の先端は手すり（３）の先端内に摺動可能に嵌入連結されていて、手すりとして使用時は手すり（３）、（４）共、図２に実線図示（１５）の状態、図２に鎖線図示（１６）の状態はガラス戸（７）と手すり（４）が同時に移動した状態で、健常者等の人の出入りはガラス戸（７）が退避開放した開放部（１７）から出来る。このように建具の引き戸操作に伴って開閉操作される建具側の手すりを該建具と同時に移動する構成にしてなるものである。
手すり（３）の先端はスタンド状の補強ステ−（５）により支えられている。又 手すり（３）はねじ（１２）にてブラケットＡ（１）の筒部に固定されて不用意な遊転回動を阻止される。手すり（４）は、手すり（４）に固設した固定金具（１３）の頭部の雄ねじ（１４）が１体に構成され、ブラケットＢ（２）の筒部奥部に設けた雌ねじ（１８）にねじ込まれて螺設固定される。これらの支持構成により手すり（４）は、摺動金具（１１）とブラケットＡ（２）より支えられて、手すり（４）とガラス戸（７）が移動する時は摺動金具（１１）により規制案内されて移動される。
【００１５】
図１と図２はガラス戸が１．８ｍタイプのものを示しており、 図５と図６はガラス戸が３，８ｍタイプのものを示している。３，８ｍの手すりはガラス戸が１．８ｍの２組分で、中央のガラス戸（２１）、（２２）が開くのを規制するために、手すり取り付けブラケットＣ（９）と手すり取り付けブラケットＤ（１０）を取り付け、該ブラケットＣ（９）とブラケットＤ（１０）を手すり（４）、（４）に設けた雄ねじ（２５）と雌ねじ（２６）をねじ込んで一体的に繋ぎ構成して、ガラス戸（２１）、（２２）の中央部で固定される。このように雄ねじ（２５）と雌ねじ（２６）で固定されると、ガラス戸（２１）、（２２）は開かない。
手すり（４）と固定金具（２４）と雄ねじ（２５）と１体で、手すり（４）と固定金具（２７）と雄ねじ（２８）は１体に構成される。中央部で雄ねじ（２５）と雌ねじ（２６）で固定されるのでガラス戸（２１）、（２２）は開かない。
【産業上の利用可能性】
【００１６】
本発明のガラス戸等に装着した動く手すりの使用形態を説明したが、ガラス戸等に装着した動く手すりのみならず、障子にも、襖にも応用が可能で、家の中全部を手すりで結ぶことが出来る。                                                                  
【図面の簡単な説明】
【００１７】
【図１】本発明の１，８ｍの動く手すりの平面図である。
【図２】本発明の１，８ｍの動く手すりの側面図である。
【図３】本発明のブラケットＡの詳細図である。
【図４】本発明のブラケットＢの詳細図である。
【図５】本発明の３，８ｍの動く手すりの平面図である。
【図６】本発明の３，８ｍの動く手すりの側面図である。
【図７】本発明のブラケットＡの詳細図である。
【図８】本発明 のブラケットＢの詳細図である。
【符号の説明】
【００１８】
１、ブラケットＡ  
２、ブラケットＢ                                         
３、手すり                                     
４、手すり                             
６、ガラス戸、       
７，ガラス戸
【図１】
2006266009.tif 000003
【図２】
2006266009.tif 000004
【図３】
2006266009.tif 000005
【図４】
2006266009.tif 000006
【図５】
2006266009.tif 000007
【図６】
2006266009.tif 000008
【図７】
2006266009.tif 000009
【図８】
2006266009.tif 000010